(57)【特許請求の範囲】
【請求項１】
シート蓄積部（Ａ）から複数のステーション（Ｂ、Ｃ、Ｄ）の１つにシートを供給するための装置であって、はめば歯車が設けられ、蓄積部（Ａ）から分配されるシートを運ぶための可動キャリッジ（１０）が設けられ、はめば歯車は、キャリッジ（１０）の外側に固定されたはめば軌道（１１、１２、１３、６０、６１）と協働し、はめば軌道は、選択した１つのステーションにキャリッジが進行し得るように選択的に案内し得る複数の案内部を有するようなものにおいて、
はめば軌道（１１、１２、１３、６０、６１）は、はめばセグメント（１４２、１４３）を具備する少なくとも１つの選択スライド（１４）を含み、
選択スライド（１４）は、はめば軌道に係合することができ、少なくとも２つの位置（１４４、１４５）の１つに適合するように切り換えることができ、はめば軌道の案内部が相互接続されて実質的に連続しているはめば経路が構成され得ることを特徴とする装置。
【請求項２】
選択スライド（１４）は、はめば軌道の３つの案内部の接続箇所に設けられ、
スライド（１４）は、２つの位置の間を移動可能であり、
３つの案内部の１つは、残りの２つの案内部のいずれか一方に接続されることを特徴とする請求項１記載の装置。
【請求項３】
はめば軌道（１１、１２、１３、６０、６１）は、複数の経路選択スライド（１４、１６）を含み、その数はステーション数よりも１つ少ないことを特徴とする請求項１又は２記載の装置。
【請求項４】
選択スライド（１４、１６）は、対応する処理装置の制御によりモータ駆動されるアーム（１５）によって制御されることを特徴とする請求項１〜３のいずれか１項記載の装置。
【請求項５】
排除ステーションを更に含み、キャリッジは、分配ステーションの各々から排除ステーションまで駆動され得ることを特徴とする請求項１〜４のいずれか１項記載の装置。
【請求項６】
蓄積部と、一対の分配ステーションと、蓄積部から分配ステーションのいずれかに銀行券を送るための請求項１〜５のいずれか１項記載の装置、とを含むことを特徴とする銀行券分配装置。
【発明の詳細な説明】
【０００１】
【発明の属する技術分野】
本発明は、シート、例えば、銀行券ディスペンサの銀行券、をシート蓄積部から複数の分配ステーションのいずれかに送るための装置に関し、シート蓄積部から分配されるシートを送るための可動キャリッジを含み、可動キャリッジは、キャリッジ外側の実質的に固定されたはめば軌道（cog railway ）と協働するはめば歯車（cogwheels ）を有する。
【０００２】
【従来の技術と発明が解決しようとする課題】
上記形式の従来装置が知られており、銀行券の束を内部に保持するキャリッジが３つの経路に沿って移動することができ、３つの経路とは、次の通りである。
１．銀行券が束ねられるホーム位置（home position ）から前方側の分配用の開口部まで
２．ホーム位置から後方側の分配用の開口部まで
３．ホーム位置から再送り位置（re-feed position）まで（尚、その後銀行券は再送り位置から本装置の銀行券蓄積部に送り返される）
キャリッジは、２経路セレクタ（two path selectors）によって制御され、（好ましくは、各側の）２つのはめば歯車によって駆動される。これらは、主たる歯車と従たる歯車とから成り、側壁の一方（可能ならば、両側）の固定形式のはめば軌道に沿って相互作用する。経路の選択（セレクション）は、スイッチアームによって行われる。スイッチアームは、統合的な三角形のスイッチを具え、右方向にキャリッジを案内するものであって、円形移動を行う。
【０００３】
はめば軌道は、三角形のスイッチにおいて途切れている、すなわち、主要なはめば経路（cog path）は連続したはめばラックではなく、経路変更が起き得る。その結果、主たるはめば歯車は、はめば軌道の途切れ部において、主たるはめば経路と噛み合っているキャリッジを移動させる仕事を本質的に行う。また、主たるはめば歯車は、キャリッジを移動させる仕事を、従たるはめば歯車に引き渡す。従たるはめば歯車は、主要なはめば経路の途切れ部に対向配置されたはめば軌道の一部分に固着される。
【０００４】
２つのはめば歯車が異なる方向に回転するので、２つのはめば歯車は、関係するはめばセグメントと係合しなくなるか又は互いにロックする、という深刻な危険があるために、対応するはめば部分（セグメント）に何時そして何の様に固着し且つ解放されるのかについて正確性が要求される。装置の性能はいずれの場合にも否定的な影響を及ぼし易い。
【０００５】
【課題を解決するための手段】
本発明に従い、シート蓄積部から複数のステーションの１つにシートを供給するための装置は、はめば歯車が設けられ、蓄積部から分配されるシートを運ぶための可動キャリッジが設けられ、はめば歯車は、キャリッジの外側に固定されたはめば軌道と協働し、はめば軌道は、選択した１つのステーションにキャリッジが進行し得るように選択的に案内し得る複数の案内部を有するようなものにおいて、はめば軌道は、はめばセグメントを具備する少なくとも１つの選択スライドを含み、選択スライドは、はめば軌道に係合することができ、少なくとも２つの位置の１つに適合するように切り換えることができ、はめば軌道の案内部が相互接続されて実質的に連続しているはめば経路が構成され得ることを特徴とする。
【０００６】
本発明は、上記不都合を排除することができ、固定式のはめば軌道は、はめば経路に途切れ部がないような実質的に連続したはめばラック経路を構成するように、必要な位置に移動し且つはめば軌道に嵌合し得るはめばセグメントを含む経路選択スライドを含む。
【０００７】
【発明の実施の形態】
本発明の実施態様について、図解的な図面を参照して以下に詳細に記載される。
図１は、銀行券の蓄積部（Ａで示す）から３つのステーションのいずれか１つに銀行券を送るための装置（銀行券ディスペンサ）のシャーシ１を示す。銀行券蓄積部Ａは、シャーシの外側に位置している。３つのステーションは、図の右側の分配ステーションＢと、図の左側の銀行券分配ステーションＣと、両分配ステーションの間の下側に位置する排除ステーションＤ、とから成る。
【０００８】
本装置は、銀行券蓄積部から分配される銀行券を搬送するための可動キャリッジ１０を含む。キャリッジは、（図６にその１つ１０Ａが描かれている）はめば歯車（cogwheels ）を含む。はめば歯車は、キャリッジの外側で通常固定されるはめば軌道（cog railway ）１１−１２−１３−６０−６１と協働するように構成されている。はめば軌道は、実質的に全長に沿って固定されており、シャーシ１の２つの平行で扁平な側壁２、３に固定した相互に似ているはめばラック（cog racks ）、すなわち、はめば部（cog sections）を原則的に含む。図には、見る者から遠い側の側壁に取付けられたラックが良好に示されている。ラック１１は、接続部５０から分配ステーションＣに延びている。ラック１２は、接続部５１から分配ステーションＢに延びている。ラック１３は、接続部５１から排除ステーションＤに延びている。ラック６０は、ホーム位置Ａから接続部５０に延びている。ラック６１は、接続部５０、５１を相互接続している。これらのラックは、キャリッジ１０によって同一の軸上に支持された２つのはめば歯車（キャリッジ両側にそれぞれ１個ずつある）と協働する。
【０００９】
固定されたはめば軌道は、接続部５１、５０で可動式の経路選択スライド１４、１６を含む。スライド１４は、はめばセグメント（cog segments）１４２、１４３を含む。はめばセグメント１４２、１４３は、はめば軌道と係合できる。また、はめばセグメント１４２、１４３は、制御ユニット７１内に配置された処理装置（図示せず）の制御の下で、モータ７０によって駆動されるアーム１５によって、２つの可能な位置のいずれか一方の位置まで移動することができる。処理装置は、銀行券蓄積部Ａから顧客によって選ばれた分配ステーション（例えば、ステーションＢ）に至る銀行券の分配シーケンス全体を制御するように構成されている。動力は、供給装置７３から提供される。
【００１０】
スライド１６は、シャーシ１上を水平方向にスライド自在であり、はめばセグメント１６１、１６２を含む。はめばセグメント１６１、１６２は、図３及び２にそれぞれ示される２つの位置１６４、１６５のいずれか一方の位置に移動され得る。スライド１６は、処理装置によって制御されるモータ７２によるアーム１７によって移動する。
【００１１】
勿論、側壁（側板）３には、一連のスライド及びラックが設けられ、対向するスライドは、同時移動のために接続される。
スライド１６が１６４で示される位置（図３）にある場合、ラック６０は、ラック１１に接続され、銀行券は、分配ステーションＣに運ばれる。スライド１６が他の位置１６５（図２）に移動し、スライド１４が位置１４４にある場合、ラック６０、６１、１３は接続され、銀行券は、排除ステーションＤに運ばれ、そこから銀行券蓄積部に戻される。反対に、スライド１４が他の（反対の）位置１４５にある場合、ラック６１、６２は接続され、銀行券は、キャリッジ１０の動きによって分配ステーションＢに運ばれる。
【００１２】
一般的にいって、経路選択スライドの数は、本構造に設けられるステーションの数よりも１つ少ない。
図４は、図２及び３に示されるものと同じ部分の内部を示す図であり、選択スライド１４及び１６は図３に示される位置と同じ位置に位置する。
図５は、図４に示されるものと同じ部分の内部を示す図である。分配ステーションＢにキャリッジを移動させるために、経路選択スライド１６は位置１６５に、経路選択スライド１４は位置１４５に位置する。
【００１３】
キャリッジはめば歯車１０Ａは、キャリッジに取付けられて処理装置によって制御されるモータ（図示せず）による一般的形式によって駆動される。
【図面の簡単な説明】
【図１】開始位置から３つのステーションの１つまで案内され得るキャリッジを含む装置のシャーシを示す図である。
【図２】図２は、分配ステーションＢまでキャリッジを運ぶ所定位置の２つの選択スライドを示す、図１に示される装置の要部外観図である。
【図３】分配ステーションＣまでキャリッジを移動させるための所定位置の選択スライドと、排除ステーションＤまでキャリッジを移動させるための所定位置の別の選択スライド、とを示す、図２に示される部分と同じ部分の外観図である。
【図４】図３に示される位置と同じ位置の選択スライドを示す、図２及び３に示される部分と同じ部分の内部を示す図である。
【図５】分配ステーションＢまで銀行券を移動させるための所定位置の選択スライドを示す、図４に示される部分と同じ部分の内部を示す図である。
【図６】キャリッジの駆動用はめば歯車とシャーシの側壁の一方の要部拡大図である。
【符号の説明】
１…シャーシ
２、３…側壁
１０…キャリッジ
１０Ａ…はめば歯車
１１、６０、６１…ラック
１４、１６…経路選択スライド
１５、１７…アーム
５０、５１…接続部
７１…制御ユニット
７２…モータ
７３…供給装置
１４２、１４３、１６１、１６２…はめばセグメント
Ａ…蓄積部
Ｂ、Ｃ…分配ステーション
Ｄ…排除ステーション
【図１】
0004060433.tif 000002
【図２】
0004060433.tif 000003
【図３】
0004060433.tif 000004
【図４】
0004060433.tif 000005
【図５】
0004060433.tif 000006
【図６】
0004060433.tif 000007